(57)【要約】【課題】作業性向上を図り、かつ熱交換器と背面の吸込み保証寸法を確実に確保することができる空気調和機の室外機を提供すること。【解決手段】本発明の空気調和機の室外機は、モータ取付け台１１の上部を熱交換器８の上部に係止する構成を有する空気調和機の室外機であって、モータ取付け台１１の上部に室外機の背面側に出っ張る切り起し部２２と、切り起し部２２には上方に開口するＵ字溝２３とを備え、Ｕ字溝２３に天板２の背面側が嵌合するように構成した。【選択図】図１
2012112629.tif 000002
【特許請求の範囲】
【請求項１】
モータ取付け台の上部を熱交換器の上部に係止する構成を有する空気調和機の室外機であって、前記モータ取付け台の上部に前記室外機の背面側に出っ張る切り起し部と、前記切り起し部には上方に開口するＵ字溝とを備え、前記Ｕ字溝に天板の背面側が嵌合するように構成したことを特徴とする空気調和機の室外機。
【請求項２】
前記切り起し部は、前記モータ取付け台の一部を切り起して構成され、前記切り起し部の寸法は、前記室外機の吸込み保証寸法以上としたことを特徴とする請求項１に記載の空気調和機の室外機。
【請求項３】
モータ取付け台の上部を熱交換器の上部に係止する構成を有する空気調和機の室外機であって、前記モータ取付け台の上部は、前記熱交換器の前後間の幅よりも大きくなるように形成し、天板の前記モータ取付け台に対向する部分については、室外機の背面側に出っ張るように構成し、前記モータ取付け台と前記天板の出っ張り部分とを螺着して固定することを特徴とする空気調和機の室外機。
【請求項４】
前記モータ取付け台の上部の前後間の幅から、前記熱交換器の前後間の幅を差し引いた値が、前記室外機の吸込み保証寸法以上としたことを特徴とする請求項３に記載の空気調和機の室外機。
【発明の詳細な説明】
【技術分野】
【０００１】
本発明は、空気調和機の室外機の構成に関するものである。
【背景技術】
【０００２】
従来、一般的に空気調和機の室外機には、室外機に搭載されたモータやファンを固定するモータ取付け台を固定する場合、熱交換器に上部に係止し、天板にネジ等で固定する構成が一般的である（例えば、特許文献１参照）。
【０００３】
図６は、従来の空気調和機の室外機の一部に断面図を有する上部平面図、図７は、従来の空気調和機の室外機の背面要部斜視図である。
【０００４】
図６および図７に示すように、底板１、天板２、左側板３、右側板４、室外ファン５、吹出グリル６で構成され、吸込み側７に対向して熱交換器８、吹出し側９に対向してモータ１０に固定された室外ファン５、室外ファン５を固定するために設けられたモータ取付け台１１が配設されている。
【０００５】
また、吸込み側７には熱交換器８の傷付きや、人が熱交換器８に触れたときの怪我防止を目的として取付けられ、縦桟１２と横桟１３で格子状に構成された保護網１４で覆われている。
【０００６】
そして、モータ取付け台１１の上部板１５は熱交換器６の上端を狭持する下向きにコの字状の保持部１４が形成され、コの字状の保持部１６は熱交換器８の上部に係止され、その先端に設けられたネジ孔１７に天板２に設けられた孔１８をネジ１９で締結することによって固定されている。
【先行技術文献】
【特許文献】
【０００７】
【特許文献１】実開平７−３２４２６号公報
【発明の概要】
【発明が解決しようとする課題】
【０００８】
しかしながら、前記従来の構成では、モータ取付け台を固定する場合、モータ取付け台に設けられた孔と天板に設けられた孔の位置がずれないように、モータ取付け台を手で調整しながら、片手でネジを締結しなければならないために作業性が悪く、さらに室外機を設置する時、据付工事要領書で指示している熱交換器と背面の吸込み保証寸法を確保せずに設置された場合、能力不足などの不具合が発生してしまうという課題を有していた。
【０００９】
本発明は、前記従来の課題を解決するもので、作業性向上を図り、かつ熱交換器と背面の吸込み保証寸法を確実に確保することができる空気調和機の室外機を提供することを目的とする。
【課題を解決するための手段】
【００１０】
前記従来の課題を解決するために、本発明の空気調和機の室外機は、モータ取付け台の上部を熱交換器の上部に係止する構成を有する空気調和機の室外機であって、モータ取付け台の上部に室外機の背面側に出っ張る切り起し部と、切り起し部には上方に開口するＵ字溝とを備え、Ｕ字溝に天板の背面側が嵌合するように構成したことにより、モ−タ取付け台に設けられたネジ孔と天板に設けられた孔の位置がずれないため、作業性の向上を図
ることができる。
【００１１】
また、前記従来の課題を解決するために、本発明の空気調和機の室外機は、モータ取付け台の上部を熱交換器の上部に係止する構成を有する空気調和機の室外機であって、モータ取付け台の上部は、熱交換器の前後間の幅よりも大きくなるように形成し、天板のモータ取付け台に対向する部分については、室外機の背面側に出っ張るように構成し、モータ取付け台と天板の出っ張り部分とを螺着して固定することにより、モ−タ取付け台に設けられた孔と天板に設けられた孔の位置がずれないため、作業性の向上を図ることができる。
【発明の効果】
【００１２】
本発明は、作業性向上を図り、かつ熱交換器と背面の吸込み保証寸法を確実に確保することができる空気調和機の室外機を提供することができる。
【図面の簡単な説明】
【００１３】
【図１】本発明の実施の形態１における空気調和機の室外機の背面要部分解斜視図
【図２】同実施の形態１における空気調和機の室外機の要部分解斜視図
【図３】同実施の形態１における要部断面図
【図４】本発明の実施の形態２における空気調和機の室外機の背面要部分解斜視図
【図５】同実施の形態２における要部断面図
【図６】従来の空気調和機の室外機の一部に断面図を有する上部平面図
【図７】従来の空気調和機の室外機の背面要部斜視図
【発明を実施するための形態】
【００１４】
第１の発明の空気調和機の室外機は、モータ取付け台の上部を熱交換器の上部に係止する構成を有する空気調和機の室外機であって、モータ取付け台の上部に室外機の背面側に出っ張る切り起し部と、切り起し部には上方に開口するＵ字溝とを備え、Ｕ字溝に天板の背面側が嵌合するように構成したことにより、モ−タ取付け台に設けられたネジ孔と天板に設けられた孔の位置がずれないため、作業性の向上を図ることができる。
【００１５】
第２の発明の空気調和機の室外機は、特に第１の発明において、切り起し部は、モータ取付け台の一部を切り起して構成され、切り起し部の寸法は、室外機の吸込み保証寸法以上としたことにより、室外機を設置する時、据付工事要領書で指示している熱交換器と背面の吸込み保証寸法を強制的に確保でき、能力不足や高圧カットなどによるトラブルを防止することができる。
【００１６】
第３の発明の空気調和機の室外機は、モータ取付け台の上部を熱交換器の上部に係止する構成を有する空気調和機の室外機であって、モータ取付け台の上部は、熱交換器の前後間の幅よりも大きくなるように形成し、天板のモータ取付け台に対向する部分については、室外機の背面側に出っ張るように構成し、モータ取付け台と天板の出っ張り部分とを螺着して固定することにより、モ−タ取付け台に設けられた孔と天板に設けられた孔の位置がずれないため、作業性の向上を図ることができる。
【００１７】
第４の発明の空気調和機の室外機は、特に第３の発明において、モータ取付け台の上部の前後間の幅から、熱交換器の前後間の幅を差し引いた値が、室外機の吸込み保証寸法以上としたことにより、室外機を設置する時、据付工事要領書で指示している熱交換器と背面の吸込み保証寸法を強制的に確保でき、能力不足や高圧カットなどによるトラブルを防止することができる。
【００１８】
以下、本発明の実施の形態について、図面を参照しながら説明する。なお、この実施の
形態によって本発明が限定されるものではない。
【００１９】
（実施の形態１）
図１は、本発明の実施の形態１における空気調和機の室外機の背面要部分解斜視図、図２は、同実施の形態１における空気調和機の室外機の要部分解斜視図である。図１、図２において、室外機の内部には熱交換器８が設けられており、室外ファンを固定するためのモータ取付け台１１が、熱交換器８の上部に係止されている。
【００２０】
モータ取付け台１１の先端部１５は、下方に垂下させてコの字形状の保持部１６を形成され、その保持部１６で熱交換器８の上端部を挟持している。さらに保持部１６の背面側２１は、背面側の外方に出っ張るように切り起し部２２が形成されており、切り起し部２２には上部が開口するようなＵ字溝２３が設けられている。
【００２１】
また、天板２と保持部１６にはそれぞれネジ１９で螺着するためのネジ孔１８およびネジ孔１７が設けられている。
【００２２】
そして、天板２を上方からＵ字溝に天板の背面側が嵌合するように取り付けると、ネジ孔１８およびネジ孔１７が同じ位置にくる。このとき、天板２にはＵ字溝２３に嵌合するように凹部形状２０を有しており、凹部形状２０とＵ字溝２３とを嵌合することによって、ネジ孔の位置を正確に合うようにしている。
【００２３】
図３は、本発明の実施の形態１における要部断面図である。図３に示すように、切り起し部２２は背面側から外方へ向かって出っ張るような構成となっている。そして、熱交換器８から切り起し部２２の最外方部までの長さＡを、熱交換器と背面の吸込み保証寸法以上とすることによって、設置時に確実に背面側に隙間を作ることができる。
【００２４】
（実施の形態２）
図４は、本発明の実施の形態２における空気調和機の室外機の背面要部分解斜視図、図５は、同実施の形態２における要部断面図である。
【００２５】
図４に示すように、モータ取付け台の上部は、熱交換器の前後間の幅よりも大きくなるように形成し、天板のモータ取付け台に対向する部分については、室外機の背面側に出っ張るように構成している。
【００２６】
そして、モータ取付け台１１と天板２の出っ張り部分とを螺着して固定する。このように構成することで、天板２とモータ取付け台１１に設けられたネジ孔の位置を合わせることができる。
【００２７】
さらに、図５に示すように天板２の出っ張り長さＡを熱交換器と背面の吸込み保証寸法以上とする。このようにすることによって、確実に背面側に隙間を作ることができる。なお、天板２の出っ張り長さＡは、モータ取付け台の上部の前後間の幅から、熱交換器の前後間の幅を差し引いた値とほぼ等しい。
【００２８】
よって、本実施の形態では、モータ取付け台の上部の前後間の幅から、熱交換器の前後間の幅を差し引いた値が、吸込み保証寸法以上とすることで、確実に隙間を空けることができる。
【産業上の利用可能性】
【００２９】
本発明にかかる空気調和機の室外機は、マルチ型空気調和機などにも適用することができる。
【符号の説明】
【００３０】
２  天板
１１  モータ取付け台
２０  凹部形状
２２  切り起し部
２３  Ｕ字溝
【図１】
2012112629.tif 000003
【図２】
2012112629.tif 000004
【図３】
2012112629.tif 000005
【図４】
2012112629.tif 000006
【図５】
2012112629.tif 000007
【図６】
2012112629.tif 000008
【図７】
2012112629.tif 000009